(57)【要約】本発明は、ハウジングと電流バーをその上に配置したコネクタクランプに関し、導体を受け収める受領装置を有し、電流バーに挿入される導体が電気導電方法で伝導するため導体を電流バーに対してクランプするハウジングに保持されるクランプバネを有するクランプ装置に関する。作動装置が配置され、それはクランプ装置を開放するためにクランプバネに作用する。作動装置にはクランプ装置のクランプ状態を表示するためのインジケータ装置が配置される。作動装置はクランプ装置と動作面において結合する。受領装置はクランプバネの固定部分と作動装置との間に空間的に配置され、それによりインジケータ装置はハウジングの空間的な位置とは無関係にクランプ装置のクランプ状態を表示する。【選択図】図１
2011501370.tif 000002
【特許請求の範囲】
【請求項１】
ハウジング（２）とこのハウジングに取り付けられる電力端子（３）とを有するとともに、少なくとも１つの導体（５、６）を収容するためのレセプタクル（４）と、差し込み導体（５、６）を電力端子（３）に対して導電態様で接続するべく導体（５、６）を電力端子（３）に対して押し付けるためのハウジング（２）に保持されるクランプバネ（８）を有するクランプ装置（７）とを有するコネクタクランプ（１）であって、クランプ装置（７）を開放するためにクランプバネ（１０）に作用する作動装置（８）が設けられ、作動装置（８）には、クランプ装置（７）のクランプ状態を表示するためのインジケータ装置（９）が設けられ、作動装置（８）がクランプ装置（７）に動作結合され、レセプタクル（４）がクランプバネ（１０）の固定部分（３５）と作動装置（８）との間に空間的に配置され、それにより、インジケータ装置は、ハウジング（２）の空間的な位置決めとは無関係に、クランプ装置（７）のクランプ状態を拡大スケールで表示し、更に、ハウジング（２）の内部に挿入できる工具（２０）のみによって作動装置（８）を作動させることができるようになっており、そのような作動により、導体（５、６）をコネクタクランプ（１）内に挿入することができ、または、導体（５、６）をコネクタクランプ（１）から取り外すことができる、コネクタクランプ（１）。
【請求項２】
レセプタクル（４）がハウジング（２）の中央領域（３４）内に位置される、請求項１に記載のコネクタクランプ（１）。
【請求項３】
脚バネ（１１）が、ハウジング（２）のレセプタクル（４）の一方側（３６）にクランプバネ（１０）の固定部分（３５）上の回転点（２６）を中心に回動できるように設けられ、作動装置（８）がハウジング（２）のレセプタクル（４）の他方側（３７）に位置される、請求項１または２に記載のコネクタクランプ（１）。
【請求項４】
作動装置（８）がクランプ装置（７）に強固に接続される、請求項１または２に記載のコネクタクランプ（１）。
【請求項５】
作動装置（８）がクランプ装置（７）に接続固定される、請求項１または２に記載のコネクタクランプ（１）。
【請求項６】
作動装置（８）がプッシャ要素（１５）を備え、プッシャ要素（１５）の位置がインジケータ装置（９）のインジケータとしての機能を果たす、請求項１から５のいずれか一項に記載のコネクタクランプ（１）。
【請求項７】
クランプバネ（１０）は、クランプエッジ（１３）を有する脚バネ（１１）として具現化されるクランプバネ（１０）を構成する、請求項１から６のいずれか一項に記載のコネクタクランプ（１）。
【請求項８】
クランプバネ（１０）には導体を収容するための窓（１２）が設けられ、クランプエッジ（１３）が窓（１２）に設けられる、請求項７に記載のコネクタクランプ（１）。
【請求項９】
クランプバネ（１０）がプッシャ要素（１５）の開口（１４）に係合する、請求項５または６に記載のコネクタクランプ（１）。
【請求項１０】
プッシャ要素（１５）には、通常位置（１７）で、プレストレス付与装置（１６）を介してプレストレスが与えられる、請求項５から７のいずれか一項に記載のコネクタクランプ（１）。
【請求項１１】
プレストレス付与装置（１６）およびプッシャ要素（１５）が一体品を形成する、請求項１０に記載のコネクタクランプ（１）。
【請求項１２】
インジケータ装置（９）は、収容された導体の断面を表示することができる、請求項１から１１のいずれか一項に記載のコネクタクランプ（１）。
【発明の詳細な説明】
【技術分野】
【０００１】
本発明は、開放ユニットを有するコネクタクランプに関する。特にコネクタクランプにおけるフレキシブル導体の強固な接続を確保するために使用される開放ユニットを有するコネクタクランプは、従来技術において知られるようになってきた。フレキシブルに具現化される導体を用いてこれを達成するべく、例えば、コネクタクランプにおいては、導体をコネクタクランプに確実に差し込むことができるようにするために工具が使用される。この場合、開放ユニットの作動が終了すると、導体が強固に保持され、それにより、強固な電気的接続がなされる。
【背景技術】
【０００２】
差し込まれる導体の状態を表示するための状態インジケータを有するクランプは、当該技術分野において知られるようになってきた。  
【０００３】
従来技術の１つの欠点は、開放体が設けられると状態インジケータが存在せず、また、状態インジケータが設けられると開放体が存在しないという点である。
【０００４】
回路基板用のコネクタクランプは、クランプ位置を開放するためにプラスチックから形成されるプッシャ要素を有する例えば独国特許第１０２００６０１４６４６号Ａ１から知られる。この従来技術の文献では、別個の状態インジケータが設けられていない。特定の装着状況では、導体がクランプ点で所定位置に保持されているかどうかをプッシャ要素から読み取ることができる。しかしながら、コネクタクランプの装着状況がこのタイプのものである場合、プッシャ要素の位置は、クランプ状態に関する表示を与えない。プッシャ要素の位置は、例えばオーバーヘッド装着においてクランプ状態を表さない。これは、その場合に、プッシャ要素が重力によってその元の通常の位置へと移動されないからである。しかしながら、垂直な回路基板上に配置される場合でも、プッシャ要素がクランプ状態を確実に表示することは保証されない。この従来技術の欠点は、クランプ状態の確実な表示が与えられないという点である。
【０００５】
コネクタクランプは、クランプ接続を開放するための開放体が設けられる米国特許第６，６８２，３６４号Ｂ２からも知られる。開放体はクランプバネと結合され、それにより、垂直レール上に装着する場合であっても、あるいは、オーバーヘッド装着の場合であっても、プッシャ要素の位置が一般にクランプ状態のインジケータとしての役目を果たす。しかしながら、この従来技術の１つの欠点は、開放体の開放位置と閉塞位置との間の経路差が小さく、そのため、短い距離からの注意深い検査によってしか状態を確実に表示できないという点である。
【先行技術文献】
【特許文献】
【０００６】
【特許文献１】独国特許第１０２００６０１４６４６号Ａ１
【特許文献２】米国特許第６，６８２，３６４号Ｂ２
【発明の概要】
【発明が解決しようとする課題】
【０００７】
したがって、本発明の目的は、装着位置にかかわらず簡単な手段によってクランプ状態が明確に表示される改良されたコネクタクランプを提供することである。
【課題を解決するための手段】
【０００８】
この目的は、請求項１の特徴を有するコネクタクランプによって達成される。本発明の好ましい改良が従属請求項の主題である。更なる有利な特徴が典型的な実施形態の説明で特定される。
【０００９】
本発明のコネクタクランプは、電力端子が取り付けられてなるハウジングを有する。また、ハウジングには、少なくとも１つの導体を受けるためのレセプタクルが設けられる。ハウジングに保持されるクランプバネを有するクランプ装置は、導体を電力端子に対して押し付け、それにより、差し込み導体を電力端子に対して接続して、電力の導電を可能にする。クランプ装置を開放するために作動装置が設けられる。作動装置は、クランプ装置を開放するためにクランプバネに作用する。作動装置には、クランプ装置のクランプ状態を表示するためのインジケータ装置が設けられる。作動装置はクランプ装置に動作結合される。また、レセプタクルは、クランプバネの固定部分と作動装置との間に空間的に配置され、それにより、インジケータ装置は、ハウジングの空間的な位置決めにかかわらず、クランプ装置のクランプ状態を拡大スケールで表示する。
【００１０】
本発明のコネクタクランプは多くの利点を有する。１つの実質的利点は、クランプ装置を開放するための作動装置にインジケータ装置が設けられ、インジケータ装置がクランプ装置のクランプ状態を表示するという点である。このようにすると、挿入直後にまたはその後の任意の時にユーザが差し込み操作の結果を視覚的に評価できるため、コネクタクランプ内への導体の不完全な挿入を防止することができる。インジケータ装置は、クランプ状態を確実に且つ再現可能に表示する。インジケータ装置の位置を更に遠い距離から読み取ることもできる。これは、クランプ装置の動作をインジケータ装置へ増強して伝達するのと相まって、作動装置とクランプ装置との動作結合に起因する。
【００１１】
本発明は、特に、ハウジングの空間的な位置決めにかかわらずクランプ装置のクランプ状態が表示されるため、有利である。コネクタクランプは最も幅広い範囲の空間的位置に装着されるため、状態インジケータが位置に依存する場合には、特定の状況下で、コネクタクランプの有用性はごく僅かである。本発明の位置非依存性は、作動装置にインジケータ装置を設けることにより得られ、特にこれらの２つの装置を一体品として構成することにより得られる。伝達の増強スケールは、クランプ状態のかなり改善された表示を可能にし、それにより、小さい外径を有する導体を用いる場合であっても有効な状態表示を行なうことができる。
【００１２】
本発明によれば、クランプ装置が現在の動作状態を増強態様で作動装置へ伝えるため、作動装置をインジケータ装置として直接に使用することができ、それにより、そこに設けられるインジケータ装置は、クランプの状態を動作結合を介して拡大スケールで表示する。
【００１３】
このタイプの実施形態は、装置を非常に小さい構造を伴って実施できるため、かなりの利点を与える。一方、別個の作動装置および別個のインジケータ装置がコネクタクランプに組み込まれる場合には、これにより、一般にコネクタクランプで利用できないかなりの大きさの空間が必要となる。装着レール等では限られた大きさの空間しか利用できないため、コネクタクランプの空間要件は重要である。
【００１４】
レセプタクルは、好ましくは中央領域に位置され、特に、ハウジング内にほぼ中心付けられる。
【００１５】
クランプバネは有利には脚バネとして具現化される。クランプバネまたは脚バネは、好ましくはハウジングのレセプタクルの一方側に、クランプバネの固定部分上の回転点を中心に回動できるように設けられる。この場合、作動装置は、ハウジングのレセプタクルの他方側または反対側に位置される。
【００１６】
本発明の１つの実施形態では、作動装置がクランプ装置に強固に接続され、それにより、クランプ装置の任意の動きが作動装置へ伝えられる。
【００１７】
有利な改良では、作動装置がクランプ装置に接続固定される。これは、特に、作動装置の動きがクランプ装置に伝えられる前に作動装置が特定の直線動作を最初に実行しなければならない場合を含む。
【００１８】
有利な改良では、作動装置がプッシャ要素を備え、プッシャ要素の位置がインジケータ装置のインジケータとしての機能を果たす。この実施形態では、特に簡単な構造、および、特に小さい大きさの空間を必要とする構造が可能である。これは、プッシャ要素がコネクタクランプにおける導体を解放するための作動装置としての機能を果たし、一方、同時に、プッシャ要素の位置がクランプ装置の状態を表示するからである。
【００１９】
特に好ましい実施形態において、クランプ装置は、特に脚バネとして具現化されるクランプバネを備える。不十分な深さまでの挿入に起因する不完全な差し込みを回避できるため、状態インジケータは、特に脚バネクランプが使用される場合に意味をなす。特に、クランプバネはプッシュ要素と動作結合される。
【００２０】
有利な改良において、クランプバネは、特に導体を収容するのに適する窓を有する。例えば、クランプバネは、コネクタクランプに挿入される導体を挿通して案内できる窓を有することができ、その場合、挿入される導体は、所定位置に保持されて、クランプバネによりクランプされる。このことは、クランプバネまたはクランプバネの窓が所定位置に保持されるべき導体に当接し、それにより、クランプバネの位置に基づいて導体が固定されるか否かに関して結論を引き出すことができることを意味する。
【００２１】
有利な改良において、クランプバネは、プッシャ要素の開口、特にプッシャ要素の溝に係合する。このことは、プッシャ要素が作動されるときに、プッシャ要素が移動されるだけでなく、それに対応してクランプバネもその位置を変えることを意味する。このようにすると、クランプバネ、導体、および、電力端子の間のクランプ接続を解放することができ、それにより、導体を除去しまたは挿入することができる。
【００２２】
プッシャ要素には、好ましくは通常位置で、プレストレス付与装置を用いてプレストレスが与えられる。プレストレス付与装置は、特に、プッシャ要素との単一部品として構造化されるのが好ましいバネとして具現化される。例えば、プレストレス付与装置は、製造中にプッシャ要素へと射出成形されるバネとして具現化され得る。
【００２３】
好ましい改良において、インジケータ装置は、収容される線断面を表示するのに適する。これは、通常は、例えば、挿入される導体に関する情報がクランプ装置を介して決定される場合に当てはまる。なぜなら、クランプ装置の移動量は、大きい線断面による場合よりも小さい線断面による場合の方が小さいからである。
【００２４】
本発明の好ましい改良では、レセプタクルにおいて適し且つ導体の位置と動作結合されるクランプパッドを設けることができる。これは、例えば、レセプタクルの断面全体を覆うクランプパッドによって達成することができ、それにより、レセプタクルに挿入される導体は、その導体が挿入されるときにクランプパッドを一緒に移動させる。
【００２５】
クランプパッドは、好ましくはその位置の変化をプッシャ要素またはプレストレス付与装置あるいはプレストレス付与装置に設けられるバネに伝え、それにより、クランプパッドが移動すると、プッシャ要素も移動され、したがって、プッシャ要素またはその位置がインジケータ装置としての役割を果たす。
【００２６】
クランプパッドを用いると、差し込み導体の線断面に依存しない状態インジケータが得られる。クランプパッドの更なる実質的利点は、導体の挿入深さを直接に決定できるという点である。対照的に、導体がクランプバネの窓に差し込まれる場合には、導体が実際に受けられたときにだけクランプバネのクランプ脚が移動されるが、導体の挿入深さを容易に表示または決定することができない。これは、クランプパッドが使用されるときには当てはまらない。クランプパッドの位置によって直接に導体の挿入深さを決定できるからである。
【００２７】
本発明の更なる好ましい改良では、作動装置にキャリアとヒンジとが設けられる。この場合、レセプタクルに差し込まれる導体がそれと共にキャリアを運び、それにより、ヒンジを介してプッシャ要素が移動され、そのため、プッシャ要素が差し込み導体の状態を表示する。クランプ接続を解放するために、プッシャ要素の作動領域がクランプバネのバネ脚を押圧するようにプッシャ要素を作動させることができ、それにより、電力端子に対する導体の押し付けが解放され、そのため、この実施形態でも、インジケータとプッシャ要素との組み合わせ装置が提供される。
【００２８】
有利にはプッシャ要素とクランプバネとの間に開放空間が設けられ、それにより、最小線断面が与えられまたは収容される場合でも、脚バネを作動させることなく且つ接触を開放することなくプッシャ要素が表示に適した位置に到達するように寸法付けられるのが特に好ましい開放領域の寸法分だけプッシャ要素が移動された後にのみクランプバネがプッシャ要素により開放される。
【００２９】
好ましい実施形態において、プッシャ要素は、導体が正確に差し込まれたときにハウジングを超えて突出する。他の好ましい実施形態では、導体が適切に受けられたときにプッシャ要素がハウジングに入る。
【００３０】
本発明の更なる利点および特徴は、添付の一連の図面を参照して以下で更に詳しく述べられる典型的な実施形態の説明において見出される。
【図面の簡単な説明】
【００３１】
【図１】通常の位置にある本発明のコネクタクランプの第１の典型的な実施形態を示している。
【図２】小さい線断面を有する差し込み導体を伴う図１のコネクタクランプを示している。
【図３】大きい線断面を有する差し込み導体を伴う図１のコネクタクランプを示している。
【図４】開放体を伴う図１のコネクタクランプを示している。
【発明を実施するための形態】
【００３２】
ここで、添付図面の図１〜図４を参照して、本発明の典型的な実施形態について説明する。
【００３３】
図１〜図４に示される本発明のコネクタクランプ１は、ハウジング２と、このハウジング上またはハウジング内に配置される電力端子３とを備える。中心開口は、小さい断面を有する導体５または大きい断面を有する導体６をコネクタクランプ１のハウジング２内へ挿入するためのレセプタクル４としての機能を果たす。ここでは脚バネ１１として具現化されるクランプバネ１０を備えるクランプ装置７は、差し込み導体５、６と電力端子３とのクランプ接続を形成する。
【００３４】
図１は、ここではインジケータ９がハウジングの上縁と面一で終端する通常の状態１７を示している。同時に、インジケータ９は、例えばフレキシブル導体に関して強固なクランプおよびその後のクランプ装置の安全な再開放を可能にして、導体を損傷させることなくコネクタクランプ１に差し込むことができまたはコネクタクランプ１から取り外すことができるようにするべく、作動装置８のプッシャ要素１５としての機能を果たす。
【００３５】
作動装置８は、同時に、プッシャ要素１５の位置がクランプ状態のインジケータとなるようにインジケータ装置９としての役目を果たす。プッシャ要素１５がハウジング２の上面と面一となる場合には、導体がレセプタクル４に差し込まれず、または、導体がレセプタクル４に非常に不安定にのみ差し込まれる。
【００３６】
レセプタクル４は中央領域３４内に位置されており、この中央領域内において、レセプタクルはハウジング２内でほぼ中心付けられる。
【００３７】
脚バネ１１として具現化されるクランプバネ１０は、ハウジング２のレセプタクル４の一方側３６でクランプバネ１０の固定部分３５上の回転点２６を中心に回動できるように構成される。次いで、作動装置８は、ハウジング２のレセプタクル４の他方側または反対側３７に位置される。
【００３８】
この構成により、クランプバネ１０の動きを、インジケータ装置９としての機能を果たす作動装置８へと増強態様で伝えることができる。レセプタクル４に差し込まれる導体は、てこの原理にしたがい、回転点２６と脚バネ１１のクランプ脚３８の端部２７との間の中央領域で、端部２７がかなり大きな距離にわたって移動されるように作用する。増強度合いは、てこ率を調整することにより調整できる。したがって、レセプタクル４内にクランプされる細い導体は、クランプ状態の信頼できる表示を確保する。
【００３９】
図２は、小さい断面を有する導体５がレセプタクル４内に適切に保持されて脚バネ１１により電力端子３の一部に対して確実に押し付けられる状態を示している。ここで、典型的な実施形態において、クランプ脚３８上の脚バネ１１には窓１２が設けられており、クランプ接続中に導体５が窓１２を通過する。ほぼ長方形の窓１２は、異なる直径の導体の収容を可能にする。
【００４０】
窓１２の一方側、すなわち、電力端子上、または、電力端子と反対の側との接触点には、クランプエッジ１３が設けられており、このクランプエッジ１３を用いて脚バネ１１が導体５を電力端子３の一部に対して押し付けることにより、電力端子との導電接触が生み出される。
【００４１】
ここで、典型的な実施形態では、レセプタクル４がハウジング２の中央領域に位置され、それにより、脚バネ１１の回転点２６がレセプタクル４の一方側に位置され、一方、作動装置８が反対側に位置される。その結果、プッシャ要素１５の開口１４に入り込むクランプバネ１１の端部２７がクランプバネの回転点２６から最も離れて位置され、それにより、差し込み導体によってクランプバネに及ぼされる変位が増大される。これは、細い断面を有する導体が差し込まれる場合であっても、プッシャ要素１５すなわちインジケータ装置９の明確に視認できる変位を可能にし、それにより、小さい断面を有する導体５を用いた場合でも、クランプ状態の信頼できる評価が可能になる。
【００４２】
図３は、大きい断面を有する導体６を保持するコネクタクランプ１の状態を示す。この場合、インジケータ装置９は大きい距離にわたって移動される。
【００４３】
図４は、工具２０が挿入された状態のコネクタクランプ１を示している。この場合、プッシャ要素１５が工具２０によって最大限に移動される。脚バネ１１の端部２７が特に溝として具現化されるプッシャ要素１５の開口１４に入り込むため、脚バネ１１がプッシャ要素１５の入り込み動作に伴って移動され、それにより、脚バネの端部２７が回転点２６を中心に回動し、その結果、既にクランプされた導体６が解放され、導体６を脚バネ１１の窓１２と接触することなく引き出すことができる。
【００４４】
ここで、典型的な実施形態において、通常の状態１７では、プッシャ要素１５がハウジング２の上側を超えて延び、一方、導体が正確に挿入されると、プッシャ要素１５がハウジング２の表面と面一に位置合わせされる。
【００４５】
図示の典型的な実施形態とは対照的に、更なる実施形態では、挿入される導体の直径とは無関係に状態表示を形成することができる。小さい直径を有する導体５または大きい直径を有する導体６のいずれが対応するレセプタクル４に導入されるかどうかにかかわらず、対応する実施形態では、適切な挿入に関して、クランプ状態インジケータまたはインジケータ装置９の同じ状態を結果として得ることができる。
【００４６】
ここで、典型的な実施形態において、通常の状態１７では、プッシャ要素１５がハウジング２の上側を超えて突出し、一方、導体が適切に挿入されると、プッシャ要素１５がハウジング２の表面と面一に位置合わせされる。
【００４７】
また、プッシャ要素１５は、通常の状態１７で表面と面一に終端するとともに、導体が適切に接続されるときにハウジング２に入り込むこともできる。
【００４８】
好ましい実施形態では、挿入されるべき導体５または６と接触するための接触面を有し且つ伝達要素およびキャリアを有するプッシャ要素をハウジング２に設けることができる。
【００４９】
プッシャ要素は、接触部分がレセプタクル４の断面全体をほぼ覆うように具現化することができ、そのため、導体５または６がレセプタクル４に挿入されると、接触部分が導体に沿って挿入方向に運ばれなければならない。
【００５０】
この並進動作は、伝達要素を介してキャリアに伝えられる。キャリアは、バネとして具現化されるプレストレス付与装置１６の特に一部であるリブと接触する。したがって、導体５または６がレセプタクル４に挿入されると、クランプパッドがプレストレス付与装置１６の力に対して移動される。
【００５１】
プレストレス付与装置１６は、プッシャ要素１５との一体品として特に具現化され、いかなる場合でもプッシャ要素に強固に接続されるため、導体５または６がレセプタクル４に挿入されると、プッシャ要素１５、したがって、インジケータ９も、挿入された導体５または６がクランプパッドと接触すると直ぐに挿入深さの距離にわたって移動される。クランプパッドが最大深さまで押し進められることにより、プッシャ要素１５のインジケータ動作が対応する挿入深さによってもたらされる。
【００５２】
コネクタクランプ１のクランプ装置７は、工具２０を用いてプッシャ要素１５を作動させることにより開放される。プッシャ要素１５は、工具２０によってハウジング内へ押し下げられて、開放空間を通じた並進動作を実行した後、脚バネ１１の接触脚３１の接触領域に達する。工具２０による更なる並進動作により、接触領域が接触脚３１を接触位置から押し出すとともに、クランプ状態が解放され、それにより、挿入された導体５または挿入された導体６を容易にコネクタクランプ１から除去することができ、または、逆に、挿入された導体５または挿入された導体６をコネクタクランプ１のレセプタクル４に挿入することができる。
【符号の説明】
【００５３】
１  コネクタクランプ
２  ハウジング
３  電力端子
４  レセプタクル
５  導体
６  導体
７  クランプ装置
８  作動装置
９  インジケータ装置
１０  クランプバネ
１１  脚バネ
１２  窓
１３  クランプエッジ
１４  開口
１５  プッシャ要素
１６  プレストレス付与装置
１７  通常位置
２０  工具
２６  回転点
２７  クランプバネの端部
２８  接触面
３１  接触脚
３４  中央領域
３５  固定部分
３６  一方側
３７  他方側
３８  クランプ脚
【図１】
2011501370.tif 000003
【図２】
2011501370.tif 000004
【図３】
2011501370.tif 000005
【図４】
2011501370.tif 000006
【国際調査報告】
2011501370.tif 000007
2011501370.tif 000008
2011501370.tif 000009
2011501370.tif 000010